【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
送信ワイヤレス通信デバイスにおけるワイヤレス通信の方法であって、
情報ブロックを符号化して、複数のコード化ビットを含むコードブロックを作るステップと、
インターリーバを使用して前記複数のコード化ビットをインターリーブして、インターリーブされたコードブロックを作るステップであって、前記インターリーバは複数の行および複数の列を備え、前記複数の列の数は前記複数の行の間で変わる、ステップと、
前記インターリーブされたコードブロックを、ワイヤレスエアインターフェースを介して受信ワイヤレス通信デバイスに送信するステップと
を含み、
前記複数の列のうちの第1の列の中の行の数と、前記複数の行のうちの第1の行の中の列の数は、等しく、前記コードブロック中の前記複数のコード化ビットの数に基づいて選択され、
前記第1の列の中の行数は、式P*(P+1)/2≧Nを満足する最も小さい整数Pを含み、Nは、前記コードブロック中の前記複数のコード化ビットの数を含む、方法。
【請求項２】
前記複数のコード化ビットをインターリーブするステップは、
前記複数の行のうちの第1の行から始めて、前記インターリーバの前記複数の行のうちの連続する行に、前記複数のコード化ビットを供給するステップと、
前記複数の列のうちの第1の列から始めて、前記インターリーバの前記複数の列のうちの連続する列から、前記複数のコード化ビットを読み出すステップとをさらに含み、
前記第1の行の中の前記コード化ビットのうちの第1のコード化ビットは、前記第1の列の中の前記コード化ビットのうちの第1のコード化ビットである、請求項1に記載の方法。
【請求項３】
前記複数の行のうちの隣接し合うものの中の前記複数のコード化ビットのうちの隣接し合うものの間での前記複数のコード化ビットの数は、前記複数の行の間で変わる、請求項2に記載の方法。
【請求項４】
前記インターリーバは、前記複数の行および前記複数の列からなる直角二等辺三角形状行列を備える、請求項2に記載の方法。
【請求項５】
前記複数のコード化ビットをインターリーブするステップは、
前記インターリーバに前記複数のコード化ビットが供給された後、前記複数の行のうちの残りの行に、1つまたは複数のヌル値を挿入するステップと、
前記複数のコード化ビットを読み出すとき、前記1つまたは複数のヌル値をスキップするステップとをさらに含む、請求項2に記載の方法。
【請求項６】
前記インターリーバは、前記1つまたは複数のヌル値を含む前記複数の行のうちの前記残りの行を除く前記複数の行および前記複数の列からなる台形状行列を備える、請求項5に記載の方法。
【請求項７】
前記複数のコード化ビットをインターリーブするステップは、
前記複数の行のうちの第1の行から始めて、前記インターリーバの前記複数の行のうちの連続する行に1つまたは複数のヌル値を挿入するステップであって、前記1つまたは複数のヌル値の数は、前記複数のコード化ビットの数を引いた、前記複数の行および前記複数の列を含む行列中の要素の数に等しい、ステップと、
前記インターリーバに前記1つまたは複数のヌル値が挿入された後、前記複数の行のうちの残りの行に、前記複数のコード化ビットを供給するステップと、
前記複数の列のうちの第1の列から始めて、前記インターリーバの前記複数の列のうちの連続する列から、前記複数のコード化ビットを読み出すステップと、
前記複数のコード化ビットを読み出すとき、前記1つまたは複数のヌル値をスキップするステップとをさらに含む、請求項1に記載の方法。
【請求項８】
前記情報ブロックを符号化するステップは、
前記情報ブロックをポーラーコーディングするステップであって、前記コードブロックはポーラーコードブロックを含む、ステップをさらに含む、請求項1に記載の方法。
【請求項９】
ワイヤレス通信のために構成された装置であって、
情報ブロックを符号化して、複数のコード化ビットを含むコードブロックを作るための手段と、
前記複数のコード化ビットをインターリーブして、インターリーブされたコードブロックを作るための手段であって、インターリーブするための前記手段は複数の行および複数の列を備え、前記複数の列の数は前記複数の行の間で変わる、手段と、
前記インターリーブされたコードブロックを、ワイヤレスエアインターフェースを介して受信ワイヤレス通信デバイスに送信するための手段とを備え、
前記複数の列のうちの第1の列の中の行の数と、前記複数の行のうちの第1の行の中の列の数は、等しく、前記コードブロック中の前記複数のコード化ビットの数に基づいて選択され、
前記第1の列の中の行数は、式P*(P+1)/2≧Nを満足する最も小さい整数Pを含み、Nは、前記コードブロック中の前記複数のコード化ビットの数を含む、装置。
【請求項１０】
前記複数のコード化ビットをインターリーブするための前記手段は、
前記複数の行のうちの第1の行から始めて、前記複数の行のうちの連続する行に、前記複数のコード化ビットを供給するための手段と、
前記複数の列のうちの第1の列から始めて、前記複数の列のうちの連続する列から、前記複数のコード化ビットを読み出すための手段とをさらに備え、
前記第1の行の中の前記コード化ビットのうちの第1のコード化ビットは、前記第1の列の中の前記コード化ビットのうちの第1のコード化ビットである、請求項9に記載の装置。
【請求項１１】
前記複数の行のうちの隣接し合うものの中の前記複数のコード化ビットのうちの隣接し合うものの間での前記複数のコード化ビットの数は、前記複数の行の間で変わる、請求項10に記載の装置。
【請求項１２】
インターリーブするための前記手段が、前記複数の行および前記複数の列からなる直角二等辺三角形状行列を備える、請求項10に記載の装置。
【請求項１３】
前記複数のコード化ビットをインターリーブするための前記手段は、
前記複数のコード化ビットの後、前記複数の行のうちの残りの行に、1つまたは複数のヌル値を挿入するための手段と、
前記複数のコード化ビットを読み出すとき、前記1つまたは複数のヌル値をスキップするための手段とをさらに備える、請求項10に記載の装置。
【請求項１４】
インターリーブするための前記手段が、前記1つまたは複数のヌル値を含む前記複数の行のうちの前記残りの行を除く前記複数の行および前記複数の列からなる台形状行列を備える、請求項13に記載の装置。
【請求項１５】
コンピュータ実行可能コードを記憶するコンピュータ可読記憶媒体であって、前記コンピュータ実行可能コードは、コンピュータにより実行されたときに、前記コンピュータに、
情報ブロックを符号化して、複数のコード化ビットを含むコードブロックを作ることと、
インターリーバを使用して前記複数のコード化ビットをインターリーブして、インターリーブされたコードブロックを作ることであって、前記インターリーバは複数の行および複数の列を備え、前記複数の列の数は前記複数の行の間で変わる、生じることと、
前記インターリーブされたコードブロックを、ワイヤレスエアインターフェースを介して受信ワイヤレス通信デバイスに送信することと
を行わせるコードを含み、
前記複数の列のうちの第1の列の中の行の数と、前記複数の行のうちの第1の行の中の列の数は、等しく、前記コードブロック中の前記複数のコード化ビットの数に基づいて選択され、
前記第1の列の中の行数は、式P*(P+1)/2≧Nを満足する最も小さい整数Pを含み、Nは、前記コードブロック中の前記複数のコード化ビットの数を含む、コンピュータ可読記憶媒体。
【請求項１６】
前記コンピュータにより実行されたときに、前記コンピュータに、
前記複数の行のうちの第1の行から始めて、前記インターリーバの前記複数の行のうちの連続する行に、前記複数のコード化ビットを供給することと、
前記複数の列のうちの第1の列から始めて、前記インターリーバの前記複数の列のうちの連続する列から、前記複数のコード化ビットを読み出することと
を行わせるコードをさらに含み、
前記第1の行の中の前記コード化ビットのうちの第1のコード化ビットは、前記第1の列の中の前記コード化ビットのうちの第1のコード化ビットである、請求項15に記載のコンピュータ可読記憶媒体。
【請求項１７】
前記複数の行のうちの隣接し合うものの中の前記複数のコード化ビットのうちの隣接し合うものの間での前記複数のコード化ビットの数は、前記複数の行の間で変わる、請求項16に記載のコンピュータ可読記憶媒体。
【請求項１８】
前記インターリーバは、前記複数の行および前記複数の列からなる直角二等辺三角形状行列を備える、請求項16に記載のコンピュータ可読記憶媒体。
【請求項１９】
前記コンピュータにより実行されたときに前記コンピュータに前記複数のコード化ビットをインターリーブさせるコードが、
前記コンピュータに実行されたときに前記コンピュータに、
前記インターリーバに前記複数のコード化ビットが供給された後、前記複数の行のうちの残りの行に、1つまたは複数のヌル値を挿入することと、
前記複数のコード化ビットを読み出すとき、前記1つまたは複数のヌル値をスキップすることと
を行わせるコードを含む、請求項16に記載のコンピュータ可読記憶媒体。
【請求項２０】
前記インターリーバは、前記1つまたは複数のヌル値を含む前記複数の行のうちの前記残りの行を除く前記複数の行および前記複数の列からなる台形状行列を備える、請求項19に記載のコンピュータ可読記憶媒体。